(57)【要約】【課題】  本発明は、放送されたテレビジョン放送番組のいずれをもほぼ確実に視聴させる。【解決手段】  受信可能な全てのテレビジョン放送チャンネルのテレビジョン放送信号を受信して、このテレビジョン放送信号に含まれる番組情報データＤＧ１に基づいてテレビジョン放送番組単位に区切った番組データＤＰ１として自動的に記録して蓄積するようにしたことにより、事前に予約操作を行ったり、当該予約操作のために放送番組を調べたりする必要なく、全てのテレビジョン放送チャンネルで放送されるテレビジョン放送信号を順次蓄積しておき、当該蓄積したテレビジョン放送信号に含まれるテレビジョン放送番組をいつでも自由に再生することができる。【選択図】        図１
2005151164.tif 000002
【特許請求の範囲】
【請求項１】
受信可能な全ての放送信号の放送チャンネルを検出する検出手段と、
上記検出手段により検出した全ての上記放送チャンネルで放送される上記放送信号を受信する受信手段と、
電源投入中に、上記受信手段により受信した全ての上記放送チャンネルで放送される上記放送信号を上記放送チャンネル毎に記録媒体に記録して蓄積する放送信号蓄積手段と
を具えることを特徴とする放送信号蓄積装置。
【請求項２】
上記放送信号蓄積手段は、上記放送信号を当該放送信号に含まれる放送番組単位で記録して蓄積する
ことを特徴とする請求項１に記載の放送信号蓄積装置。
【請求項３】
上記受信手段により受信した上記放送信号から、上記放送番組に関する番組情報を抽出する抽出手段を具え、
上記放送信号蓄積手段は、上記抽出手段により抽出した上記番組情報に基づいて上記放送信号を上記放送番組単位で記録して蓄積する
ことを特徴とする請求項２に記載の放送信号蓄積装置。
【請求項４】
上記放送番組に関する番組情報提供用の番組情報提供装置から上記番組情報を取得する取得手段を具え、
上記放送信号蓄積手段は、上記取得手段により取得した上記番組情報に基づいて上記放送信号を上記放送番組単位で記録して蓄積する
ことを特徴とする請求項２に記載の放送信号蓄積装置。
【請求項５】
上記記録媒体に上記放送信号を記録するための空容量が不足したとき、当該記録媒体に既に記録されている上記放送信号のうち最も過去に記録した当該放送信号を消去する消去手段
を具えることを特徴とする請求項１に記載の放送信号蓄積装置。
【請求項６】
上記記録媒体に記録されている上記放送信号を再生する再生手段を具え、
上記記録媒体に上記放送信号を記録するための空容量が不足したとき、当該記録媒体に既に記録されている上記放送信号のうち既に再生した当該放送信号を消去する消去手段
を具えることを特徴とする請求項１に記載の放送信号蓄積装置。
【請求項７】
上記受信手段は、
上記検出手段により検出した全ての上記放送チャンネルで放送される上記放送信号をそれぞれ選択する複数のチューナ
を具えることを特徴とする請求項１に記載の放送信号蓄積装置。
【請求項８】
上記受信手段は、
上記検出手段により検出した全ての上記放送チャンネルで放送される上記放送信号を一括して選択する１つのチューナ
を具えることを特徴とする請求項１に記載の放送信号蓄積装置。
【請求項９】
受信可能な全ての放送信号の放送チャンネルを検出する検出ステップと、
電源投入中に、上記検出ステップにより検出した全ての上記放送チャンネルで放送される上記放送信号を受信して上記放送チャンネル毎に記録媒体に記録して蓄積する放送信号蓄積ステップと
を具えることを特徴とする放送信号蓄積方法。
【請求項１０】
情報処理装置に対して、
受信可能な全ての放送信号の放送チャンネルを検出する検出ステップと、
電源投入中に、上記検出ステップにより検出した全ての上記放送チャンネルで放送される上記放送信号を受信して上記放送チャンネル毎に記録媒体に記録して蓄積する放送信号蓄積ステップと
を実行させるための放送信号蓄積プログラム。
【発明の詳細な説明】
【技術分野】
【０００１】
本発明は放送信号蓄積装置に関し、例えば放送信号を受信して蓄積する放送信号蓄積装置に適用して好適なものである。
【背景技術】
【０００２】
従来の放送受信装置は、２つのチューナを有し、多数のテレビジョン放送チャンネルでそれぞれ放送されるテレビジョン放送用の複数の放送信号（以下、これをテレビジョン放送信号と呼ぶ）のうち、視聴用に指定された１つのテレビジョン放送チャンネルのテレビジョン放送信号を一方のチューナで選択することにより、ユーザに対してテレビジョン放送用の所望の番組（以下、これをテレビジョン放送番組と呼ぶ）を視聴させている。
【０００３】
また放送受信装置は、所望のテレビジョン放送番組が録画予約されると、他方のチューナで対応するテレビジョン放送チャンネルのテレビジョン放送信号を選択して記録部に記録することにより、その録画予約されたテレビジョン放送番組を放送終了後に視聴させている（例えば、特許文献１参照）。
【特許文献１】特開平８−１８０５０４号公報（第１７頁、第１図）
【発明の開示】
【発明が解決しようとする課題】
【０００４】
ところが、かかる構成の放送受信装置では、一方及び他方のチューナによりそれぞれ１つのテレビジョン放送チャンネルで放送されたテレビジョン放送信号しか選択できない。
【０００５】
このためかかる放送受信装置では、一方及び他方のチューナを同時に動作させて、テレビジョン放送番組に対する放送時間に合わせたリアルタイムの視聴と録画予約とを組み合わせても、放送時間の重複するテレビジョン放送番組を２つまでしか視聴させることができず、全てのテレビジョン放送チャンネルで放送されるテレビジョン放送番組のいずれもは視聴させ難いという問題があった。
【０００６】
本発明は以上の点を考慮してなされたもので、全ての放送チャンネルで放送された放送番組のいずれをもほぼ確実に見たり聴いたりさせ得る放送信号蓄積装置を提案しようとするものである。
【課題を解決するための手段】
【０００７】
かかる課題を解決するため本発明の放送信号蓄積装置においては、受信可能な全ての放送信号の放送チャンネルを検出する検出手段と、検出手段により検出した全ての放送チャンネルで放送される放送信号を受信する受信手段と、電源投入中に、受信手段により受信した全ての放送チャンネルで放送される放送信号を放送チャンネル毎に記録媒体に記録して蓄積する放送信号蓄積手段とを設けるようにした。
【０００８】
この結果この放送信号蓄積装置は、事前に予約操作を行ったり、当該予約操作のために放送番組を調べたりする必要なく、全ての放送チャンネルで放送される放送信号を順次蓄積しておき、当該蓄積した放送信号に含まれる放送番組をいつでも自由に再生することができる。
【０００９】
また本発明の放送信号蓄積方法においては、受信可能な全ての放送信号の放送チャンネルを検出する検出ステップと、電源投入中に、検出ステップにより検出した全ての放送チャンネルで放送される放送信号を受信して放送チャンネル毎に記録媒体に記録して蓄積する放送信号蓄積ステップとを設けるようにした。
【００１０】
この結果この放送信号蓄積方法では、事前に予約操作を行ったり、当該予約操作のために放送番組を調べたりする必要なく、全ての放送チャンネルで放送される放送信号を順次蓄積しておき、当該蓄積した放送信号に含まれる放送番組をいつでも自由に再生することができる。
【００１１】
さらに本発明の放送信号蓄積プログラムにおいては、受信可能な全ての放送信号の放送チャンネルを検出する検出ステップと、電源投入中に、検出ステップにより検出した全ての放送チャンネルで放送される放送信号を受信して放送チャンネル毎に記録媒体に記録して蓄積する放送信号蓄積ステップとを設けるようにした。
【００１２】
この結果この放送信号蓄積プログラムでは、事前に予約操作を行ったり、当該予約操作のために放送番組を調べたりする必要なく、全ての放送チャンネルで放送される放送信号を順次蓄積しておき、当該蓄積した放送信号に含まれる放送番組をいつでも自由に再生することができる。
【発明の効果】
【００１３】
本発明によれば、受信可能な全ての放送チャンネルで放送される全ての放送信号を放送番組単位で自動的に記録して蓄積することにより、全ての放送チャンネルで放送された全ての放送番組をいつでも自由に再生することができるので、全ての放送チャンネルで放送された放送番組のいずれをもほぼ確実に見たり聴いたりさせ得る放送信号蓄積装置を実現することができる。
【発明を実施するための最良の形態】
【００１４】
以下、図面について、本発明の一実施の形態を詳述する。
【実施例】
【００１５】
（１）第１の実施の形態
図１において、１は全体として第１の実施の形態によるテレビジョン放送受信システムを示し、地上アナログテレビジョン放送、地上ディジタルテレビジョン放送及びＢＳ（Broadcasting Satellite）ディジタルテレビジョン放送の受信機能を有する放送信号蓄積装置３の内部に設けられた制御部１１が、当該制御部１１内のメモリ（以下、これを内部メモリと呼ぶ）に予め記憶しているＯＳ（Operating System）等の基本プログラムや放送信号蓄積プログラム等の各種アプリケーションプログラムに従って各種処理を実行する。
【００１６】
この場合制御部１１は、内部メモリに、地上アナログテレビジョン放送及び地上ディジタルテレビジョン放送の放送地域を識別可能な地域番号と、当該放送地域で受信可能な全てのテレビジョン放送信号のテレビジョン放送チャンネルの情報（すなわちテレビジョン放送チャンネル毎の放送周波数）とを関連付けて予め記憶しており、操作部１９を介して、ユーザの居住している放送地域の地域番号が入力されると、これに関連付けている全てのテレビジョン放送チャンネルの情報（以下これをチャンネル情報と呼ぶ）を選択する。
【００１７】
そして制御部１１は、図２に示すように、地上アナログテレビジョン放送受信部１４Ａに多数のチューナ３１（３１Ａ、３１Ｂ、３１Ｃ、…）が設けられていることにより、地域番号に応じて選択した地上アナログテレビジョン放送用のチャンネル情報に基づいて、これら各チューナ３１に対し、それぞれ異なるテレビジョン放送チャンネルを選択するように設定する。
【００１８】
この結果制御部１１は、地上アナログテレビジョン放送受信部１４Ａの各チューナ３１により、ユーザの居住している放送地域で地上アナログテレビジョン放送の全てのテレビジョン放送チャンネル（例えば数十チャンネル）で放送されているテレビジョン放送信号をアンテナ１３Ａで受信すると共に、当該受信した全てのテレビジョン放送チャンネル分のテレビジョン放送信号をそれぞれチューナ３１で選択し得るようになされている。
【００１９】
また制御部１１は、地上ディジタルテレビジョン放送では全てのテレビジョン放送チャンネル（例えば数十チャンネル）のテレビジョン放送信号が時分割多重化され、１つの多重化テレビジョン放送信号として送信されており、図３に示すように、地上ディジタルテレビジョン放送受信部１４Ｂに１つチューナ４１が設けられていることにより、地域番号に応じて選択した地上ディジタルテレビジョン放送用のチャンネル情報（周波数）に基づいて、このチューナ４１に対し、多重化テレビジョン放送信号を選択するように設定する。
【００２０】
この結果制御部１１は、ユーザの居住している放送地域で地上ディジタルテレビジョン放送の全てのテレビジョン放送チャンネルで放送されているテレビジョン放送信号を多重化テレビジョン放送信号としてアンテナ１３Ａで受信してチューナ４１でデータストリームＤＳを生成すると共に、当該受信した全てのテレビジョン放送チャンネル分のテレビジョン放送信号が含まれるデータストリームＤＳをデマルチプレクサ４２でそれぞれのテレビジョン放送チャンネル毎のテレビジョン放送信号に分離し得るようになされている。
【００２１】
なおＢＳディジタルテレビジョン放送では、地域に関係なく一意的に決められている全てのテレビジョン放送チャンネル（例えば数十チャンネル）のテレビジョン放送信号が時分割多重化され、１つの多重化テレビジョン放送信号として送信されており、図４に示すように、ＢＳディジタルテレビジョン放送受信部１４Ｃに１つチューナ５１が設けられていることにより、ＢＳディジタルテレビジョン放送用のチャンネル情報（周波数）に基づいて、このチューナ５１に対し、多重化テレビジョン放送信号を予め選択可能に設定されている。
【００２２】
この結果制御部１１は、ＢＳディジタルテレビジョン放送の全てのテレビジョン放送チャンネルで放送されているテレビジョン放送信号を多重化テレビジョン放送信号としてアンテナ１３Ｂで受信してチューナ５１でデータストリームＤＳを生成すると共に、当該受信した全てのテレビジョン放送チャンネル分のテレビジョン放送信号が含まれるデータストリームＤＳをデマルチプレクサ５２でそれぞれのテレビジョン放送チャンネル毎のテレビジョン放送信号に分離し得るようになされている。
【００２３】
ところで地上アナログテレビジョン放送では、あるテレビジョン放送チャンネルのテレビジョン放送信号に、全てのテレビジョン放送チャンネルのテレビジョン放送番組についてのテレビジョン放送チャンネル、放送開始時刻、放送終了時刻及び番組名等を含む電子番組ガイド情報（ＥＰＧ：Electronic Program Guide、以下番組情報と呼ぶ）が一括して含まれ定期的に送信されている。
【００２４】
そこで地上アナログテレビジョン放送受信部１４Ａ（図２）は、このテレビジョン放送チャンネルを選択するように設定したチューナ３１Ａによって、地上アナログテレビジョン放送の全てのテレビジョン放送チャンネルのテレビジョン放送番組の番組情報を抽出し、番組情報信号ＳＧとして番組情報取得部１７に送出する。
【００２５】
また地上ディジタルテレビジョン放送受信部１４Ｂ（図３）及びＢＳディジタルテレビジョン放送受信部１４Ｃ（図４）は、デマルチプレクサ４２及び５２によって、各テレビジョン放送チャンネル毎のテレビジョン放送信号に個別に含まれる番組情報をそれぞれデータストリームＤＳから分離して番組情報ストリームＤＳＧとし、それぞれ番組情報取得部１７に送出する。
【００２６】
番組情報取得部１７（図１）は、地上アナログテレビジョン放送受信部１４Ａで抽出した地上アナログテレビジョン放送の番組情報信号ＳＧと、地上ディジタルテレビジョン放送受信部１４Ｂ及びＢＳディジタルテレビジョン放送受信部１４Ｃからそれぞれ取得した番組情報ストリームＤＳＧとに基づいて、番組情報データＤＧ１を生成して制御部１１に送出する。
【００２７】
これに応じて制御部１１は、取得した番組情報データＤＧ１を番組情報記録部１８に記録して蓄積すると共に、番組情報データＤＧ１が変更された場合に当該番組情報データＤＧ１を更新することにより、番組情報記録部１８に最新の番組情報データＤＧ１を蓄積するようになされている。
【００２８】
一方、地上アナログテレビジョン放送受信部１４Ａ（図２）は、アンテナ１３Ａで受信したテレビジョン放送信号を、各チューナ３１によって各テレビジョン放送チャンネルの映像信号及び音声信号に復調し、各アナログ／ディジタル変換回路３２（３２Ａ、３２Ｂ、３２Ｃ、…）及び各符号化回路３３（３３Ａ、３３Ｂ、３３Ｃ、…）によって所定の符号化を施すことによりテレビジョン放送信号を符号化したデータ（以下これを放送データＤＢ１と呼ぶ）を生成して、当該放送データＤＢ１を制御部１１に送出する。
【００２９】
また地上ディジタルテレビジョン放送受信部１４Ｂ（図３）及びＢＳディジタルテレビジョン放送受信部１４Ｃ（図４）は、アンテナ１３Ａ及び１３Ｂでそれぞれ受信したテレビジョン放送信号に対してチューナ４１及び５１によってそれぞれ所定の受信処理を行ってデータストリームＤＳを生成し、これをデマルチプレクサ４２及び５２によって各テレビジョン放送チャンネル毎に分離して符号化回路４３（４３Ａ、４３Ｂ、４３Ｃ、…）及び５３（５３Ａ、５３Ｂ、５３Ｃ、…）によって所定の符号化を施すことによりそれぞれ放送データＤＢ１を生成して、当該放送データＤＢ１を制御部１１に送出する。
【００３０】
制御部１１（図１）は、リアルタイムクロック回路１２で計時している現在時刻と、番組情報記録部１８から読み出した最新の番組情報データＤＧ１とに基いて、取得した放送データＤＢ１をテレビジョン放送番組単位に区切ることにより番組データＤＰ１を生成し、当該番組データＤＰ１に番組情報データＤＧ１を関連付けてテレビジョン放送チャンネル毎に番組データ記録部１５に蓄積する。
【００３１】
そして制御部１１は、操作部１９を介してテレビジョン放送番組の再生要求が入力されると、これに応じて、既に番組データ記録部１５に蓄積している番組データＤＰ１に対応する番組情報データＤＧ１を番組情報記録部１８から読み出してテレビジョン受像器４に表形式で表示し、ユーザに視聴したい番組を選択させるようになされている。
【００３２】
この状態で制御部１１は、操作部１９を介して再生対象のテレビジョン放送番組が選択されると、番組データ記録部１５から対応する番組データＤＰ１を読み出し、これを復号化回路２０及びディジタル／アナログ変換回路２１により映像信号及び音声信号に変換してテレビジョン受像器４に送出することによりテレビジョン放送番組をユーザに視聴させる。
【００３３】
制御部１１は、番組データＤＰ１を再生した（すなわちユーザがこの番組データＤＰ１に基づくテレビジョン放送番組を視聴した）際に、視聴の有無を示す視聴履歴情報を、当該番組データＤＰ１毎に対応づけて番組データ記録部１５に記録する。
【００３４】
ちなみに放送信号蓄積装置３は、番組データ記録部１５としてランダムアクセス可能なハードディスクドライブが用いられることにより、ハードディスクにテレビジョン放送番組を記録（蓄積）すると同時にテレビジョン放送番組を再生できるため、テレビジョン放送番組の再生時でもテレビジョン放送チャンネル毎の番組データＤＰ１の蓄積を中断せずに継続し得るようになされている。
【００３５】
また番組データ記録部１５は、全てのテレビジョン放送チャンネルで放送される全ての番組データＤＰ１を例えば１週間分蓄積できる程度の記録容量を有しているものの、その容量は有限である。
【００３６】
このため制御部１１は、番組データ記録部１５に対して全てのテレビジョン放送チャンネル分の番組データＤＰ１を順次蓄積していくことにより当該番組データ記録部１５内の新たに番組データＤＰ１を記録可能な領域の容量（以下これを空容量と呼ぶ）が少なくなり、この空容量が例えば全てのテレビジョン放送チャンネルの３０分間のテレビジョン放送番組の記録を行える所定の閾値以下となると、当該番組データＤＰ１の記録を終了した日時（以下これを記録日時と呼ぶ）が最も古い番組データＤＰ１を削除したり視聴履歴情報に基づいて既にユーザが視聴した番組データＤＰ１を削除する等して、空容量を確保して新たな番組データＤＰ１を蓄積し得るようになされている。
【００３７】
このように制御部１１は、電源投入中に、テレビジョン放送信号から抽出した番組情報データＤＧ１に基づいて、受信可能な全てのテレビジョン放送チャンネルで放送されるテレビジョン放送信号をテレビジョン放送番組単位の番組データＤＰ１として順次蓄積する。
【００３８】
以上の構成において放送信号蓄積装置３の制御部１１は、電源が投入されると、テレビジョン放送番組蓄積プログラムに従って、図５に示すテレビジョン放送番組蓄積処理手順ＲＴ１を開始する。
【００３９】
制御部１１は、テレビジョン放送番組蓄積処理手順ＲＴ１を開始すると、ステップＳＰ１においてユーザに対して地域番号の入力を促すメッセージをテレビジョン受像器４に表示することによりその地域番号を入力させて、次のステップＳＰ２に移る。
【００４０】
ステップＳＰ２において制御部１１は、入力された地域番号に関連付けられた全てのチャンネル情報に基づいて、地上アナログテレビジョン放送受信部１４Ａの各チューナ３１、地上ディジタルテレビジョン放送受信部１４Ｂのチューナ４１に対してそれぞれ地上アナログテレビジョン放送及び地上ディジタルテレビジョン放送の全てのテレビジョン放送チャンネルで放送されるテレビジョン放送信号を選択するように設定し、次のステップＳＰ３に移る。
【００４１】
このように制御部１１は、地域番号の入力に応じて、放送受信部１４で受信可能な全てのテレビジョン放送信号のテレビジョン放送チャンネルを検出して、テレビジョン放送信号を受信して内部に取り込めるようにすることができる。
【００４２】
ステップＳＰ３において制御部１１は、番組情報取得部１７により定期的に取得されて番組データ記録部１８に蓄積された最新の番組情報データＤＧ１を取得して、次のステップＳＰ４に移る。
【００４３】
このように制御部１１は、番組情報取得部１７によってテレビジョン放送信号から番組情報データＤＧ１を取得することができる。
【００４４】
ステップＳＰ４において制御部１１は、番組情報データＤＧ１に基づいて得られたテレビジョン放送番組の放送開始時刻と現在時刻とを比較することによって、現在時刻がテレビジョン放送番組の放送開始時刻であるか否かを判定する。ここで否定結果が得られると、このことは例えば深夜の放送休止中のように、この時点ではまだテレビジョン放送番組が開始されていないことを表しており、このとき制御部１１は当該ステップＳＰ４においてテレビジョン放送番組の放送開始時刻を待ち受ける。
【００４５】
一方ステップＳＰ４において肯定結果が得られると、このことは現在時刻がテレビジョン放送番組の放送開始時刻に達したことを示しており、このとき制御部１１は次のステップＳＰ５に移る。
【００４６】
ステップＳＰ５において制御部１１は、番組データ記録部１５に対して放送データＤＢ１に含まれる記録対象のテレビジョン放送番組の番組データＤＰ１の記録を開始し、次のステップＳＰ６に移る。
【００４７】
ステップＳＰ６において制御部１１は、番組データ記録部１５の空容量を検出し、その空容量が所定の閾値より少ないか否かを判定する。ここで否定結果が得られると、このことは番組データ記録部１５にまだ十分な空容量があるために番組データＤＰ１を放送終了時刻まで記録できる可能性があることを表しており、このとき制御部１１はステップＳＰ１０に移る。
【００４８】
一方ステップＳＰ６において肯定結果が得られると、このことは番組データ記録部１５に空容量が不足しているために、このままでは現在放送中のテレビジョン放送番組の番組データＤＰ１の記録を放送終了前に中断しなければならなくなる可能性があることを表しており、このとき制御部１１は次のステップＳＰ７に移る。
【００４９】
ステップＳＰ７において制御部１１は、視聴履歴情報に基づいて、すでに蓄積している番組データＤＰ１のうちユーザによって既に視聴されたテレビジョン放送番組の番組データＤＰ１があるか否かを判定する。
【００５０】
このステップＳＰ７において肯定結果が得られると、このことはユーザによって既に視聴されたテレビジョン放送番組の番組データＤＰ１が番組データ記録部１５に蓄積されており、そのテレビジョン放送番組が既に視聴されていることで再度視聴される可能性が低いことを表しており、このとき制御部１１は次のステップＳＰ８に移り、番組データ記録部１５からこの既に視聴されたテレビジョン放送番組の番組データＤＰ１を削除して番組データ記録部１５の空容量を増加させた後、ステップＳＰ１０に移る。
【００５１】
一方ステップＳＰ７において否定結果が得られると、このことはこの時点で番組データ記録部１５に蓄積されている番組データＤＰ１がいずれもユーザによって視聴されてはいないことを表しており、このとき制御部１１はステップＳＰ９に移って、番組データ記録部１５に既に蓄積している番組データＤＰ１のうち記録日時が最も古いものを、今後もユーザに視聴される可能性が低いとみなし、この記録日時が最も古い番組データＤＰ１を削除することにより番組データ記録部１５の空容量を増加させた後、次のステップＳＰ１０に移る。
【００５２】
このように制御部１１は、既に視聴されたテレビジョン放送番組又は記録日時が最も古いテレビジョン放送番組といった、ユーザによってこの後視聴される可能性の低いテレビジョン放送番組の番組データＤＰ１を優先的に削除することにより、当該ユーザによって視聴の希望される可能性の高いテレビジョン放送番組を残すようにして番組データ記録部１５の空容量を増加させることができる。
【００５３】
ステップＳＰ１０において制御部１１は、現在記録しているテレビジョン放送番組の放送終了時刻と現在時刻とを比較することによって、現在時刻がそのテレビジョン放送番組の放送終了時刻であるか否かを判定する。
【００５４】
このステップＳＰ１０において否定結果が得られると、このことは現在記録している番組情報データＤＧ１に基づくテレビジョン放送番組がまだ放送途中であることを表しており、このとき制御部１１はステップＳＰ６に戻り、この現在記録しているテレビジョン放送番組の放送終了時刻になるまでステップＳＰ６〜ＳＰ１０の処理を繰り返すことによって現在記録しているテレビジョン放送番組の記録を継続する。
【００５５】
一方ステップＳＰ１０において肯定結果が得られると、このことは現在記録している番組情報データＤＧ１に基づくテレビジョン放送番組の放送が終了したことを表しており、このとき制御部１１は次のステップＳＰ１１に移って番組データＤＰ１の記録を終了した後、再びステップＳＰ３に戻って次のテレビジョン放送番組の番組データＤＰ１を記録する。
【００５６】
このように制御部１１は、電源投入中に、上述したステップＳＰ３〜ＳＰ１１の処理を、放送受信部１４で受信する全てのテレビジョン放送チャンネルについてそれぞれ並行して行うようになされており、この結果、全てのテレビジョン放送チャンネルで放送される全てのテレビジョン放送番組を番組データＤＰ１として番組データ記録部１５に順次記録して蓄積する。
【００５７】
因みに制御部１１は、放送信号蓄積装置３の電源が切断された時点で上述したテレビジョン放送番組蓄積処理手順ＲＴ１の処理を終了するが、再度電源が投入された際には、ステップＳＰ１〜ＳＰ２の処理を省略してステップＳＰ３から処理を開始することにより、番組データＤＰ１の蓄積をすぐに再開できるようになされている。
【００５８】
以上の構成によれば、放送信号蓄積装置３は、受信可能な全てのテレビジョン放送チャンネルのテレビジョン放送信号を受信して放送データＤＢ１を生成し、このテレビジョン放送信号に含まれる番組情報データＤＧ１に基づいて放送データＤＢ１をテレビジョン放送番組単位に区切った番組データＤＰ１として自動的に記録して蓄積するようにしたことにより、事前に予約操作を行ったり、当該予約操作のためにテレビジョン放送番組を調べたりする必要なく、全てのテレビジョン放送チャンネルで放送されるテレビジョン放送信号を順次蓄積しておき、当該蓄積したテレビジョン放送信号に含まれるテレビジョン放送番組をいつでも自由に再生することができるので、受信可能な全てのテレビジョン放送チャンネルで放送されたテレビジョン放送番組のいずれをもほぼ確実に視聴させることができる。
【００５９】
なお上述の第１の実施の形態においては、放送受信部１４が地上アナログテレビジョン放送、地上ディジタルテレビジョン放送、ＢＳディジタルテレビジョン放送を受信するようにした場合について述べたが、本発明はこれに限らず、地上アナログテレビジョン放送、地上ディジタルテレビジョン放送、ＢＳディジタルテレビジョン放送のいずれかのテレビジョン放送信号のみを受信するようにしたり、またＣＳ（Communications Satellite）放送等の他の放送システムのテレビジョン放送信号を受信するようにしても良い。
【００６０】
また上述の第１の実施の形態においては、ユーザによる地域番号の入力に応じて放送受信部１４で選択するテレビジョン放送チャンネルを設定するようにした場合について述べたが、本発明はこれに限らず、各チューナで全てのテレビジョン放送チャンネルを自動的に順次探索して受信可能なテレビジョン放送チャンネルを検出して、この検出したテレビジョン放送チャンネルを当該放送受信部１４で選択するように設定するようにしてもよい。
【００６１】
さらに上述の第１の実施の形態においては、最初の電源投入時にユーザによって入力された地域番号に応じて放送受信部１４で受信するテレビジョン放送チャンネルを設定するようにした場合について述べたが、本発明はこれに限らず、電源投入中に、ユーザの入力に応じて受信すべきテレビジョン放送チャンネルを追加や変更するようにしても良い。
【００６２】
さらに上述の第１の実施の形態においては、地上ディジタルテレビジョン放送受信部１４Ｂ及びＢＳディジタルテレビジョン放送受信部１４Ｃに、それぞれ１つのチューナ４１及び５１とデマルチプレクサ４２及び５２とを設けるようにした場合について述べたが、本発明はこれに限らず、当該地上ディジタルテレビジョン放送受信部１４Ｂ及びＢＳディジタルテレビジョン放送受信部１４Ｃに、それぞれ複数のチューナ４１及び５１とデマルチプレクサ４２及び５２とを設けるようにしても良く、この場合、これら複数のチューナ４１及び５１とデマルチプレクサ４２及び５２とで処理を分散させて個々のチューナ及びデマルチプレクサの処理負荷を第１の実施の形態よりも軽減することができる。
【００６３】
さらに上述の第１の実施の形態においては、番組データ記録部１５の空容量が不足した際に、既に視聴されたテレビジョン放送番組の番組データＤＰ１を優先的に削除するようにした場合について述べたが、本発明はこれに限らず、単純に記録日時が最も古い番組データＤＰ１や、テレビジョン放送番組の放送時間が長い番組データＤＰ１、又はユーザの視聴する頻度が低いテレビジョン放送チャンネルの番組データＤＰ１を優先的に削除するようにしても良い。
【００６４】
さらに上述の第１の実施の形態においては、検出手段としての制御部１１及び受信部１４と、受信手段としてのアンテナ１３Ａ、１３Ｂ及び放送受信部１４と、放送信号蓄積手段及び消去手段としての制御部１１及び番組データ記録部１５と、抽出手段としての番組情報取得部１７とによって放送信号蓄積装置を構成する場合について述べたが、本発明はこれに限らず、その他種々の回路構成でなる検出手段と、受信手段と、放送信号蓄積手段と、抽出手段と、消去手段とによって放送信号蓄積装置を構成するようにしても良い。
【００６５】
（２）第２の実施の形態
図１との対応部分に同一符号を付した図６は、第２の実施の形態によるテレビジョン放送受信システム１００を示し、放送信号蓄積装置１０３がインターネット１０６上の番組情報提供サーバ１０５と接続可能な構成を除いて、上述した第１の実施の形態によるテレビジョン放送受信システム１と同様に構成されている。
【００６６】
番組情報提供サーバ１０５は、全てのテレビジョン放送チャンネルで放送される全てのテレビジョン放送番組の最新の番組情報データＤＧ１を保有するようになされており、放送信号蓄積装置１０３からの要求に応じて、最新の当該番組情報データＤＧ１を提供するようになされている。
【００６７】
放送信号蓄積装置１０３は、制御部１１１が、当該制御部１１１内のメモリ（以下、これを内部メモリと呼ぶ）に予め記憶しているＯＳ等の基本プログラムや放送信号蓄積プログラム等の各種アプリケーションプログラムに従って各種処理を実行する。
【００６８】
そして制御部１１１は、上述した第１の実施の形態の制御部１１と同様に、ユーザの居住している放送地域の地域番号が入力されると、これに関連付けている全てのテレビジョン放送チャンネルの情報を選択して、地上アナログテレビジョン放送受信部１４Ａ及び地上ディジタルテレビジョン放送受信部１４Ｂでそれぞれ受信可能な全ての放送チャンネルを選択するようにテレビジョン放送チャンネルをそれぞれ設定する。なお、ＢＳディジタルテレビジョン放送受信部１４Ｃについては、テレビジョン放送チャンネルが予め選択可能に設定されている。
【００６９】
番組情報取得部１１７は、制御部１１１からの要求に応じて、番組情報提供サーバ１０５からインターネット１０６を介して番組情報データＤＧ１を定期的に取得して、当該制御部１１１に送出する。
【００７０】
これに応じて制御部１１１は、制御部１１と同様に、取得した番組情報データＤＧ１を番組情報記録部１８に記録して蓄積すると共に、番組情報データＤＧ１の内容が変更された場合に、既に番組情報記録部１８に蓄積した番組情報データＤＧ１を更新することにより、当該番組情報記録部１８に常に最新の番組情報データＤＧ１を蓄積するようになされている。
【００７１】
そして制御部１１１は、制御部１１と同様に、地上アナログテレビジョン放送受信部１４Ａ、地上ディジタルテレビジョン放送受信部１４Ｂ及びＢＳディジタルテレビジョン放送受信部１４Ｃからそれぞれ放送データＤＢ１を取得し、リアルタイムクロック回路１２で計時している現在時刻と番組情報記録部１８から読み出した最新の番組情報データＤＧ１とに基いて、放送データＤＢ１をテレビジョン放送番組単位に区切った番組データＤＰ１を生成し、当該番組情報データＤＧ１を関連付けた当該番組データＤＰ１をテレビジョン放送チャンネル単位で番組データ記録部１５に蓄積する。
【００７２】
以上の構成において放送信号蓄積装置１０３の制御部１１１は、電源が投入されると、テレビジョン放送番組蓄積プログラムに従って図５との対応部分に同一符号を付した図７及び図８に示すテレビジョン放送番組蓄積処理手順ＲＴ２を開始する。
【００７３】
制御部１１１は、テレビジョン放送番組蓄積処理手順ＲＴ２を開始すると、上述した第１の実施の形態と同様にステップＳＰ１及びステップＳＰ２の処理を行い、次のステップＳＰ２１に移る。
【００７４】
ステップＳＰ２１において制御部１１１は、ユーザにより入力された地域番号を所定の識別情報と共に番組情報提供サーバ１０５に送信し、次のステップＳＰ２２に移る。
【００７５】
これに対して番組情報提供サーバ１０５は、ルーチンＲＴ３を開始して放送信号蓄積装置１０３からの受信を待ち受ける状態となっており、ステップＳＰ３１において番組情報提供サーバ１０５は、放送信号蓄積装置１０３から送信された地域番号及び所定の識別情報を受信して、次のステップＳＰ３２に移る。
【００７６】
ステップＳＰ３２において番組情報提供サーバ１０５は、所定の識別情報に基づき、地域番号に応じたテレビジョン放送チャンネルと放送信号蓄積装置１０３とを対応づけて設定し、次のステップＳＰ３３に移る。
【００７７】
一方ステップＳＰ２２において制御部１１１は、番組情報提供サーバ１０５に所定の識別情報と共に番組情報データＤＧ１の要求を送信して次のステップＳＰ２３に移る。
【００７８】
これに対して番組情報提供サーバ１０５は、ステップＳＰ３３において放送信号蓄積装置１０３からの所定の識別情報及び番組情報データＤＧ１の要求を受信して、次のステップＳＰ３４に移る。
【００７９】
ステップＳＰ３４において番組情報提供サーバ１０５は、放送信号蓄積装置１０３に対して、所定の識別情報に関連づけて設定されたテレビジョン放送チャンネルの番組情報データＤＧ１を送信し、その後ステップＳＰ３３に戻って、このステップＳＰ３３−ＳＰ３４の処理を繰り返す。
【００８０】
すると放送信号蓄積装置１０３の制御部１１１は、ステップＳＰ２３において番組情報提供サーバ１０５から送信された番組情報データＤＧ１を受信して番組情報記録部１８に蓄積し、次のステップＳＰ４に移る。
【００８１】
このように制御部１１１は、番組情報取得部１１７によって番組情報提供サーバ１０５から番組情報データＤＧ１を必要なタイミングで取得することができる。
【００８２】
そして制御部１１１は、制御部１１に代わって上述したステップＳＰ４〜ＳＰ１１の処理を行い、その後もステップＳＰ２２−ＳＰ２３−ＳＰ４〜ＳＰ１１の処理を繰り返すことによって、番組情報データＤＧ１に基づいてテレビジョン番組単位の番組データＤＰ１を記録する。
【００８３】
このように制御部１１１は、上述した第１の実施の形態による放送信号蓄積装置３と同様に、電源投入中に、上述したステップＳＰ３〜ＳＰ１１の処理を、放送受信部１４で受信する全てのテレビジョン放送チャンネルについてそれぞれ並行して行うようになされており、この結果、全てのテレビジョン放送チャンネルで放送される全てのテレビジョン放送番組を番組データＤＰ１として番組データ記録部１５に順次記録して蓄積する。
【００８４】
以上の構成によれば、放送信号蓄積装置１０３は、受信可能な全てのテレビジョン放送チャンネルのテレビジョン放送信号を受信して放送データＤＢ１を生成すると共に、番組情報提供サーバ１０５から取得した番組情報データＤＧ１に基づいて当該放送データＤＢ１をテレビジョン放送番組単位に区切った番組データＤＰ１として自動的に記録して蓄積するようにしたことにより、事前に予約操作を行ったり、当該予約操作のためにテレビジョン放送番組を調べたりする必要なく、全てのテレビジョン放送チャンネルで放送されるテレビジョン放送信号を順次蓄積しておき、当該蓄積したテレビジョン放送信号に含まれるテレビジョン放送番組をいつでも自由に再生することができるので、受信可能な全てのテレビジョン放送チャンネルで放送されたテレビジョン放送番組のいずれをもほぼ確実に視聴させることができる。
【００８５】
なお上述の第２の実施の形態においては、放送受信部１４が地上アナログテレビジョン放送、地上ディジタルテレビジョン放送、ＢＳディジタルテレビジョン放送を受信するようにした場合について述べたが、本発明はこれに限らず、地上アナログテレビジョン放送、地上ディジタルテレビジョン放送、ＢＳディジタルテレビジョン放送のいずれかの放送システムのテレビジョン放送信号のみを受信するようにしたり、またＣＳ放送等の他の放送システムのテレビジョン放送信号を受信するようにしても良い。
【００８６】
また上述の第２の実施の形態においては、ユーザによる地域番号の入力に応じて放送受信部１４で選択するテレビジョン放送チャンネルを設定するようにした場合について述べたが、本発明はこれに限らず、各チューナで全ての放送チャンネルを自動的に順次探索して受信可能な放送チャンネルを検出して、この検出したテレビジョン放送チャンネルを当該放送受信部１４で選択するように設定するようにしてもよい。
【００８７】
さらに上述の第２の実施の形態においては、最初の電源投入時にユーザによって入力された地域番号に応じて放送受信部１４で受信するテレビジョン放送チャンネルを設定するようにした場合について述べたが、本発明はこれに限らず、電源投入中に、ユーザの入力に応じて受信すべきテレビジョン放送チャンネルを追加や変更するようにしても良い。
【００８８】
さらに上述の第２の実施の形態においては、地上ディジタルテレビジョン放送受信部１４Ｂ及びＢＳディジタルテレビジョン放送受信部１４Ｃに、それぞれ１つのチューナ４１及び５１とデマルチプレクサ４２及び５２とを設けるようにした場合について述べたが、本発明はこれに限らず、当該地上ディジタルテレビジョン放送受信部１４Ｂ及びＢＳディジタルテレビジョン放送受信部１４Ｃに、それぞれ複数のチューナ４１及び５１とデマルチプレクサ４２及び５２とを設けるようにしても良く、この場合、これら複数のチューナ４１及び５１とデマルチプレクサ４２及び５２とで処理を分散させて個々のチューナ及びデマルチプレクサの処理負荷を第１の実施の形態よりも軽減することができる。
【００８９】
さらに上述の第２の実施の形態においては、番組データ記録部１５の空容量が不足した際に、既に視聴されたテレビジョン放送番組の番組データＤＰ１を優先的に削除するようにした場合について述べたが、本発明はこれに限らず、単純に記録日時が最も古い番組データＤＰ１や、テレビジョン放送番組の放送時間が長い番組データＤＰ１、又はユーザの視聴する頻度が低いテレビジョン放送チャンネルの番組データＤＰ１を優先的に削除するようにしても良い。
【００９０】
さらに上述の第２の実施の形態においては、検出手段としての制御部１１１及び放送受信部１１４と、受信手段としてのアンテナ１３Ａ、１３Ｂ及び放送受信部１１４と、放送信号蓄積手段及び消去手段としての制御部１１及び番組データ記録部１５と、取得手段としての番組情報取得部１１７とによって放送信号蓄積装置を構成する場合について述べたが、本発明はこれに限らず、その他種々の回路構成でなる検出手段と、受信手段と、放送信号蓄積手段と、取得手段と、消去手段とによって放送信号蓄積装置を構成するようにしても良い。
【００９１】
（３）第３の実施の形態
図１及び図６との対応部分に同一符号を付した図９において、２００は全体として第３の実施の形態によるラジオ放送受信システムを示し、ＦＭラジオ放送及びＡＭラジオ放送の受信機能を有する放送信号蓄積装置２０３の内部に設けられた制御部２１１が、当該制御部２１１内のメモリ（以下、これを内部メモリと呼ぶ）に予め記憶しているＯＳ等の基本プログラムや放送信号蓄積プログラム等の各種アプリケーションプログラムに従って各種処理を実行する。
【００９２】
この場合制御部２１１は、内部メモリに、ＦＭラジオ放送及びＡＭラジオ放送の放送地域を識別可能な地域番号と、当該放送地域で受信可能な全てのラジオ放送信号のラジオ放送チャンネルの情報（すなわちラジオ放送局毎の放送周波数）とを関連付けて予め記憶しており、操作部１９を介して、ユーザの居住している放送地域の地域番号が入力されると、これに関連付けている全てのラジオ放送チャンネルの情報（チャンネル情報）を選択する。
【００９３】
そして制御部２１１は、図１０に示すように、ＦＭラジオ放送受信部２１４Ａに多数のチューナ２３１（２３１Ａ、２３１Ｂ、２３１Ｃ、…）が設けられていることにより、地域番号に応じて選択したＦＭラジオ放送用のチャンネル情報に基づいて、これを各チューナ２３１に対し、それぞれ異なるラジオ放送チャンネルを選択するように設定する。
【００９４】
この結果制御部２１１は、ＦＭラジオ放送受信部２１４Ａの各チューナ２３１により、ユーザの居住している放送地域でＦＭラジオ放送の全てのラジオ放送チャンネル（例えば数十チャンネル）で放送されているラジオ放送信号をアンテナ２１３で受信すると共に、当該受信した全てのラジオ放送チャンネル分のラジオ放送信号をそれぞれチューナ２３１で選択し得るようになされている。
【００９５】
また制御部２１１は、図１１に示すように、ＡＭラジオ放送受信部２１４Ｂに多数のチューナ２４１（２４１Ａ、２４１Ｂ、２４１Ｃ、…）が設けられていることにより、地域番号に応じて選択したＡＭラジオ放送用のチャンネル情報に基づいて、これを各チューナ２４１に対し、それぞれ異なるラジオ放送チャンネルを選択するように設定する。
【００９６】
この結果制御部２１１は、ＡＭラジオ放送受信部２１４Ｂの各チューナ２４１により、ユーザの居住している放送地域でＡＭラジオ放送の全てのラジオ放送チャンネル（例えば数十チャンネル）で放送されているラジオ放送信号をアンテナ２１３で受信すると共に、当該受信した全てのラジオ放送チャンネル分のラジオ放送信号をそれぞれチューナ２４１で選択し得るようになされている。
【００９７】
ところで番組情報提供サーバ２０５は、全てのラジオ放送チャンネルで放送される全てのラジオ放送番組についてのラジオ放送チャンネル（周波数）、放送開始時刻、放送終了時刻及び番組名等を含む最新の番組情報を、番組情報データＤＧ２として保有するようになされている。
【００９８】
そこで番組情報取得部２１７は、制御部２１１からの要求に応じて、番組情報提供サーバ２０５からインターネット１０６を介して番組情報データＤＧ２を定期的に取得して、当該制御部２１１に送出する。
【００９９】
これに応じて制御部２１１は、取得した番組情報データＤＧ２を番組情報記録部２１８に記録して蓄積すると共に、番組情報データＤＧ２が変更された場合に当該番組情報データＤＧ２を更新することにより、常に番組情報記録部２１８に最新の番組情報データＤＧ２を蓄積するようになされている。
【０１００】
一方、ＦＭ放送受信部２１４Ａ及びＡＭ放送受信部２１４Ｂは、アンテナ２１３で受信したラジオ放送信号を、各チューナ２３１及び２４１によって各ラジオ放送チャンネルの音声信号に復調し、アナログ／ディジタル変換回路２３２（２３２Ａ、２３２Ｂ、２３２Ｃ、…）及び２４２（２４２Ａ、２４２Ｂ、２４２Ｃ、…）と、符号化回路２３３（２３３Ａ、２３３Ｂ、２３３Ｃ、…）及び２４３（２４３Ａ、２４３Ｂ、２４３Ｃ、…）とによって所定の符号化を施すことによりラジオ放送信号を符号化したデータ（以下、これを放送データＤＢ２と呼ぶ）を生成して、当該放送データＤＢ２を制御部２１１に送出する。
【０１０１】
制御部２１１は、リアルタイムクロック回路１２で計時している現在時刻と、番組情報記録部２１８から読み出した最新の番組情報データＤＧ２とに基いて、取得した放送データＤＢ２をラジオ放送番組単位に区切った番組データＤＰ２を生成し、当該番組データＤＰ２に番組情報データＤＧ２を関連付けてラジオ放送チャンネル毎に番組データ記録部２１５に記録して蓄積する。
【０１０２】
そして制御部２１１は、操作部１９を介してラジオ放送番組の再生要求が入力されると、これに応じて番組情報記録部２１８から、既に蓄積している番組データＤＰ２に対応する番組情報データＤＧ２を読み出して表示部（図示せず）に表示し、ユーザに聴取したい番組を選択させるようになされている。
【０１０３】
この状態で制御部２１１は、操作部１９を介して再生対象のラジオ放送番組が選択されると、番組データ記録部２１５から対応する番組データＤＰ２を読み出し、これを復号化回路２２０及びディジタル／アナログ変換回路２２１により音声信号に変換してスピーカ４に送出することによりラジオ放送番組をユーザに聴取させる。
【０１０４】
制御部２１１は、番組データＤＰ２を再生した（すなわちユーザがこの番組データＤＰ１に基づくラジオ放送番組を聴取した）際に、聴取の有無を示す聴取履歴情報を、当該番組データＤＰ２毎に対応づけて番組データ記録部２１５に記録する。
【０１０５】
ちなみに放送信号蓄積装置２０３は、番組データ記録部２１５としてランダムアクセス可能なハードディスクドライブが用いられることにより、ハードディスクにラジオ放送番組を記録（蓄積）すると同時にラジオ放送番組を再生できるため、ラジオ放送番組の再生時でもラジオ放送毎の番組データＤＰ２の蓄積を中断せずに継続し得るようになされている。
【０１０６】
また番組データ記録部２１５は、全てのラジオ放送チャンネルで放送される全ての番組データＤＰ２を例えば１週間分蓄積できる程度の記録容量を有しているものの、その容量は有限である。
【０１０７】
このため制御部２１１は、番組データ記録部２１５に対して全てのラジオ放送チャンネル分の番組データＤＰ２を順次蓄積していくことにより当該番組データ記録部２１５内の新たに番組データＤＰ２を記録可能な領域の容量（空容量）が少なくなり、この空容量が例えば全てのラジオ放送チャンネルの３０分間のラジオ放送番組の記録を行える所定の閾値以下となると、聴取履歴情報に基づいて既にユーザが聴取した番組データＤＰ２を削除したり、聴取履歴情報に基づいてユーザの聴取頻度が低いラジオ放送チャンネルの記録日時が最も古い番組データＤＰ２を削除する等して、空容量を確保して新たな番組データＤＰ２を蓄積し得るようになされている。
【０１０８】
このように制御部２１１は、電源投入中に、番組情報提供サーバ２０５から取得した番組情報データＤＧ２に基づいて、受信可能な全てのラジオ放送チャンネルで放送されるラジオ放送信号をラジオ放送番組単位の番組データＤＰ２として順次蓄積する。
【０１０９】
以上の構成において放送信号蓄積装置２０３の制御部２１１は、電源が投入されると、ラジオ放送番組蓄積プログラムに従って図１２及び図１３に示すラジオ放送番組蓄積処理手順ＲＴ４を開始する。
【０１１０】
制御部２１１は、ラジオ放送番組蓄積処理手順ＲＴ４を開始すると、ステップＳＰ４１においてユーザに対して地域番号の入力を促すメッセージを表示部（図示せず）に表示することによりその地域番号を入力させて、次のステップＳＰ４２に移る。
【０１１１】
ステップＳＰ４２において制御部２１１は、入力された地域番号に関連付けられた全てのラジオ放送チャンネルの情報に基づいて、ＦＭラジオ放送受信部２１４Ａの各チューナ２３１及びＡＭラジオ放送受信部２１４Ｂの各チューナ２４１に対してそれぞれＦＭラジオ放送及びＡＭラジオ放送の全てのラジオ放送チャンネルで放送されるラジオ放送信号を選択するように設定し、次のステップＳＰ４３に移る。
【０１１２】
このように制御部２１１は、地域番号の入力に応じて、放送受信部２１４で受信可能な全てのラジオ放送チャンネルを検出してラジオ放送信号を受信して内部に取り込めるようにすることができる。
【０１１３】
ステップＳＰ４３において制御部２１１は、ユーザにより入力された地域番号を所定の識別情報と共に番組情報提供サーバ２０５に送信し、次のステップＳＰ４４に移る。
【０１１４】
これに対して番組情報提供サーバ２０５は、ルーチンＲＴ５の開始ステップから入ってステップＳＰ６１に移る。ステップＳＰ６１において番組情報提供サーバ２０５は、放送信号蓄積装置２０３から送信された地域番号及び所定の識別情報を受信して、次のステップＳＰ６２に移る。
【０１１５】
ステップＳＰ６２において番組情報提供サーバ２０５は、所定の識別情報に基づき、地域番号に応じたラジオ放送チャンネルと放送信号蓄積装置２０３とを対応づけて設定し、次のステップＳＰ６３に移る。
【０１１６】
一方ステップＳＰ４４において制御部２１１は、番組情報提供サーバ２０５に所定の識別情報と共に番組情報データＤＧ２の要求を送信して次のステップＳＰ４５に移る。
【０１１７】
これに対して番組情報提供サーバ２０５は、ステップＳＰ６３において放送信号蓄積装置２０３からの所定の識別情報及び番組情報データＤＧ２の要求を受信して、次のステップＳＰ６４に移る。
【０１１８】
ステップＳＰ６４において番組情報提供サーバ２０５は、番組情報データＤＧ２の要求を送信した放送信号蓄積装置２０３に対して、所定の識別情報に関連づけて設定されたラジオ放送チャンネルの番組情報データＤＧ２を送信し、その後ステップＳＰ６３に戻って、このステップＳＰ６３−ＳＰ６４の処理を繰り返す。
【０１１９】
すると放送信号蓄積装置２０３の制御部２１１は、ステップＳＰ４５において番組情報提供サーバ２０５から送信された番組情報データＤＧ２を受信して番組情報記録部２１８に蓄積し、次のステップＳＰ４６に移る。
【０１２０】
このように制御部２１１は、番組情報取得部２１７によって番組情報提供サーバ２０５から番組情報データＤＧ２を必要なタイミングで取得することができる。
【０１２１】
ステップＳＰ４６において制御部２１１は、番組情報データＤＧ２に基づいて得られたラジオ放送番組の放送開始時刻と現在時刻とを比較することによって、現在時刻がラジオ放送番組の放送開始時刻であるか否かを判定する。ここで否定結果が得られると、このことは例えば深夜の放送休止中のように、この時点ではまだラジオ放送番組が開始されていないことを表しており、このとき制御部２１１は当該ステップＳＰ４６においてラジオ放送番組の放送開始時刻を待ち受ける。
【０１２２】
一方ステップＳＰ４６において肯定結果が得られると、このことは現在時刻がラジオ放送番組の放送開始時刻に達したことを示しており、このとき制御部２１１は次のステップＳＰ４７に移る。
【０１２３】
ステップＳＰ４７において制御部２１１は、番組データ記録部２１５に対して放送データＤＢ２に含まれる記録対象のラジオ放送番組の番組データＤＰ２の記録を開始し、次のステップＳＰ４８（図１３）に移る。
【０１２４】
ステップＳＰ４８において制御部２１１は、番組データ記録部２１５の空容量を検出し、その空容量が所定の閾値より少ないか否かを判定する。ここで否定結果が得られると、このことは番組データ記録部２１５にまだ十分な空容量があるために番組データＤＰ２を放送終了時刻まで記録できる可能性があることを表しており、このとき制御部２１１はステップＳＰ５６に移る。
【０１２５】
一方ステップＳＰ４８において肯定結果が得られると、このことは番組データ記録部２１５に空容量が不足しているために、このままでは現在放送中のラジオ放送番組の番組データＤＰ２の記録を放送終了前に中断しなければならなくなる可能性があることを表しており、このとき制御部２１１は次のステップＳＰ４９に移る。
【０１２６】
ステップＳＰ４９において制御部２１１は、聴取履歴情報に基づいて、既に蓄積している番組データＤＰ２のうちユーザによって既に聴取されたラジオ放送番組の番組データＤＰ２があるか否かを判定する。
【０１２７】
このステップＳＰ４９において肯定結果が得られると、このことはユーザによって既に聴取されたラジオ放送番組の番組データＤＰ２が番組データ記録部２１５に蓄積されており、そのラジオ放送番組が既に聴取されていることで再度聴取される可能性が低いことを表しており、このとき制御部２１１は、次のステップＳＰ５０に移り、番組データ記録部２１５からこの既に聴取されたラジオ放送番組の番組データＤＰ２を削除して番組データ記録部２１５の空容量を増加させた後、ステップＳＰ５６に移る。
【０１２８】
一方ステップＳＰ４９において否定結果が得られると、このことはこの時点で番組データ記録部２１５に蓄積されている番組データＤＰ２がいずれもユーザによって聴取されてはいないことを表しており、このとき制御部２１１はステップＳＰ５１に移って、番組データ記録部２１５に蓄積された番組データＤＰ２のうち記録日時が最も古いもの（以下これを番組（Ａ）と呼ぶ）を検索し、次のステップＳＰ５２に移る。
【０１２９】
ステップＳＰ５２において制御部２１１は、聴取履歴情報を参照することによって、ユーザに番組データＤＰ２を聴取される頻度が最も低いラジオ放送チャンネルを選択し、当該ラジオ放送チャンネルの番組データＤＰ２のうち最も記録日時が古いもの（以下これを番組（Ｂ）と呼ぶ）を検索し、次のステップＳＰ５３に移る。
【０１３０】
ステップＳＰ５３において制御部２１１は、番組（Ａ）の記録日時が番組（Ｂ）の記録日時よりも２４時間以上古いか否かを判定し、ここで肯定結果が得られた場合はステップＳＰ５４に移って番組（Ａ）を削除することによって、番組データ記録部２１５の空容量を増加させた後、次のステップＳＰ５６に移る。
【０１３１】
一方ステップＳＰ５３において否定結果が得られた場合は、制御部２１１はステップＳＰ５５に移って番組（Ｂ）を削除することによって、番組データ記録部２１５の空容量を増加させた後、次のステップＳＰ５６に移る。
【０１３２】
なお、ここで番組（Ａ）と番組（Ｂ）との記録日時を比較する際の条件は、２４時間とする以外にも、例えば４８時間等の他の条件により比較するようにしても良い。
【０１３３】
このように制御部２１１は、既に聴取されたラジオ放送番組又は聴取される頻度が最も低いラジオ放送チャンネルのラジオ放送番組といった、ユーザによってこの後聴取される可能性の低いラジオ放送番組の番組データＤＰ２を優先的に削除することにより、当該ユーザによって聴取される可能性が一段と高いラジオ放送チャンネルのラジオ放送番組を残すようにして、番組データ記録部２１５の容量を増加させることができる。
【０１３４】
ステップＳＰ５６において制御部２１１は、現在記録している番組情報データＤＧ２に基づくラジオ放送番組の放送終了時刻と現在時刻とを比較することによって、現在時刻がそのラジオ放送番組の放送終了時刻であるか否かを判定する。
【０１３５】
このステップＳＰ５６において否定結果が得られると、このことは現在記録しているラジオ放送番組がまだ放送途中であることを表しており、このとき制御部２１１はステップＳＰ４８に戻り、この現在記録しているラジオ放送番組の放送終了時刻になるまでステップＳＰ４８〜ＳＰ５６の処理を繰り返すことによって現在記録しているラジオ放送番組の記録を継続する。
【０１３６】
一方ステップＳＰ５６において肯定結果が得られると、このことは現在記録しているラジオ放送番組の放送が終了したことを表しており、このとき制御部２１１は次のステップＳＰ５７に移って番組情報データＤＧ２に基づく番組データＤＰ２の記録を終了し、再びステップＳＰ４４に戻って次のラジオ放送番組の番組データＤＰ２を記録する。
【０１３７】
このように制御部２１１は、電源投入中に、上述したステップＳＰ４４〜ＳＰ５７の処理を、放送受信部２１４で受信する全てのラジオ放送チャンネルについてそれぞれ並行して行うようになされており、この結果、全てのラジオ放送チャンネルで放送される全てのラジオ放送番組を番組データＤＰ２として番組データ記録部２１５に順次記録して蓄積する。
【０１３８】
因みに制御部２１１は、放送信号蓄積装置２０３の電源が切断された時点で上述したラジオ放送番組蓄積処理手順ＲＴ４の処理を終了するが、再度電源が投入された際には、ステップＳＰ４１〜ＳＰ４３の処理を省略してステップＳＰ４４から処理を開始することにより、番組データＤＰ２の蓄積をすぐに再開できるようになされている。
【０１３９】
以上の構成によれば、放送信号蓄積装置２０３は、受信可能な全てのラジオ放送チャンネルのラジオ放送信号を受信して放送データＤＢ２を生成すると共に、番組情報提供サーバ２０５から取得した番組情報データＤＧ２に基づいて放送データＤＢ２をラジオ放送番組単位に区切った番組データＤＰ２として自動的に記録して蓄積するようにしたことにより、事前に予約操作を行ったり、当該予約操作のためにラジオ放送番組を調べたりする必要なく、全てのラジオ放送チャンネルで放送されるラジオ放送信号を順次蓄積しておき、当該蓄積したラジオ放送信号に含まれるラジオ放送番組をいつでも自由に再生することができるので、受信可能な全てのラジオ放送チャンネルで放送されたラジオ放送番組のいずれをもほぼ確実に視聴させることができる。
【０１４０】
なお上述の第３の実施の形態においては、放送受信部２１４がＦＭラジオ放送及びＡＭラジオ放送を受信するようにした場合について述べたが、本発明はこれに限らず、ＦＭラジオ放送及びＡＭラジオ放送のいずれかのラジオ放送信号のみを受信するようにしたり、また地上ディジタルラジオ放送、ＢＳディジタルラジオ放送及びＣＳラジオ放送等の他の放送システムのラジオ放送信号を受信するようにしても良い。
【０１４１】
また上述の第３の実施の形態においては、ユーザによる地域番号の入力に応じて放送受信部２１４で選択するラジオ放送チャンネルを設定するようにした場合について述べたが、本発明はこれに限らず、各チューナで全ての放送チャンネルを自動的に順次探索して受信可能な放送チャンネルを検出して、この検出したラジオ放送チャンネルを当該放送受信部２１４で選択するように設定するようにしてもよい。
【０１４２】
さらに上述の第３の実施の形態においては、最初の電源投入時にユーザによって入力された地域番号に応じて放送受信部２１４で受信するラジオ放送チャンネルを設定するようにした場合について述べたが、本発明はこれに限らず、電源投入中に、ユーザの入力に応じて受信すべきラジオ放送チャンネルを追加や変更するようにしても良い。
【０１４３】
さらに上述の第３の実施の形態においては、番組情報提供サーバ２０５から番組情報データＤＧ２を取得するようにした場合について述べたが、本発明はこれに限らず、ラジオ放送信号に番組情報データＤＧ２が含まれて送信される放送システムにおいて、上述した第１の実施の形態と同様に、ラジオ放送信号から番組情報データＤＧ２を抽出して取得するようにしても良い。
【０１４４】
さらに上述の第３の実施の形態においては、番組データ記録部２１５の空容量が不足した際に、既にユーザに聴取されたラジオ放送番組の番組データＤＰ２又は当該ユーザに聴取される頻度が低いラジオ放送チャンネルの番組データＤＰ２を優先的に削除するようにした場合について述べたが、本発明はこれに限らず、単純に記録日時の最も古い番組データＤＰ２を削除するようにしたり、又は放送時間の最も長い番組データＤＰ２を削除するようにしたり、これらを適宜組み合わせるようにしても良い。
【０１４５】
さらに上述の第３の実施の形態においては、検出手段としての制御部２１１及び放送受信部２１４と、受信手段としてのアンテナ２１３及び放送受信部２１４と、放送信号蓄積手段及び消去手段としての制御部２１１及び番組データ記録部２１５と、取得手段としての番組情報取得部２１７とによって放送信号蓄積装置を構成する場合について述べたが、本発明はこれに限らず、その他種々の回路構成でなる検出手段と、受信手段と、放送信号蓄積手段と、取得手段と、消去手段とによって放送信号蓄積装置を構成するようにしても良い。
【０１４６】
（４）第４の実施の形態
図１及び図６との対応部分に同一符号を付した図１４において、３００は全体として第４の実施の形態によるインターネット放送受信システムを示し、インターネット放送の受信機能を有する放送信号蓄積装置３０３の内部に設けられた制御部３１１が、当該制御部３１１内のメモリ（内部メモリ）に予め記憶しているＯＳ等の基本プログラムや放送信号蓄積プログラム等の各種アプリケーションプログラムに従って各種処理を実行する。
【０１４７】
インターネット放送配信サーバ３０２は、所定のＵＲＬ（Uniform Resource Locator）が割り当てられており、インターネット１０６を介した当該ＵＲＬへのアクセスに応じて、インターネット放送信号を配信するようになされている。
【０１４８】
番組情報提供サーバ３０５は、複数のインターネット放送配信サーバ３０２の最新のＵＲＬ（以下これをインターネット放送チャンネルと呼ぶ）をチャンネル情報として保有すると共に、各インターネット放送チャンネルで放送されるインターネット放送番組に関して、放送開始時刻や放送終了時刻、及び番組名等を含む最新の番組情報データＤＧ３を保有するようになされており、また放送信号蓄積装置３０３からの要求に応じて、チャンネル情報及び番組情報データＤＧ３を提供するようになされている。
【０１４９】
そして制御部３１１は、内部メモリに番組情報提供サーバ３０５のＵＲＬを予め記憶しており、最初に電源が投入された際に当該番組情報提供サーバ３０５にアクセスすることによって、最新のインターネット放送チャンネルのチャンネル情報を取得し、当該チャンネル情報に基づいてインターネット放送受信部３１４（３１４Ａ、３１４Ｂ、…）で全てのインターネット放送チャンネルを受信するように設定する。
【０１５０】
さらに制御部３１１は、通信処理部３１３及び番組情報取得部３１７によって、インターネット放送受信部３１４で受信する全てのインターネット放送チャンネルのインターネット放送番組の番組情報データＤＧ３を番組情報提供サーバ３０５から取得し、当該番組情報データＤＧ３を制御部３１１に送出する。
【０１５１】
これに応じて制御部３１１は、取得した番組情報データＤＧ３を番組情報記録部３１８に記録して蓄積すると共に、番組情報データＤＧ３が変更された場合に当該番組情報データＤＧ３を更新することにより、番組情報記録部３１８に常に最新の番組情報データＤＧ３を保有するようになされている。
【０１５２】
一方、インターネット放送受信部３１４は、インターネット放送配信サーバ３０２から通信処理部３１３を介して放送されるインターネット放送チャンネルのインターネット放送信号を受信して、当該インターネット放送信号に所定の符号化を施した放送データＤＢ３を生成し、当該放送データＤＢ３を制御部３１１に送出する。
【０１５３】
制御部３１１は、リアルタイムクロック回路１２で計時している現在時刻と、番組情報記録部３１８から読み出した最新の番組情報データＤＧ３とに基いて、取得した放送データＤＢ３をインターネット放送番組単位に区切った番組データＤＰ３を生成し、当該番組データＤＰ３に番組情報データＤＧ３を関連付けてインターネット放送チャンネル毎に番組データ記録部３１５に蓄積する。
【０１５４】
そして制御部３１１は、操作部１９を介してインターネット放送番組の再生要求が入力されると、これに応じて、既に番組データ記録部３１５に蓄積している番組データＤＰ３に対応する番組情報データＤＧ３を番組情報記録部３１８から読み出して外部装置３０４の表示部（図示せず）に表形式で表示し、ユーザに視聴したい番組を選択させるようになされている。
【０１５５】
この状態で制御部３１１は、操作部１９を介して再生対象のインターネット放送番組が選択されると、番組データ記録部３１５から対応する番組データＤＰ３を読み出し、これを復号化回路３２０及びディジタル／アナログ変換回路３２１により映像信号及び音声信号に変換して外部装置３０４に送出することによりインターネット放送番組をユーザに視聴させる。
【０１５６】
制御部３１１は、番組データＤＰ３を再生した（すなわちユーザがこの番組データＤＰ３に基づくインターネット放送番組を視聴した）際に、視聴の有無を示す視聴履歴情報を、当該番組データＤＰ３毎に対応づけて番組データ記録部３１５に記録する。
【０１５７】
ちなみに放送信号蓄積装置３０３は、番組データ記録部３１５としてランダムアクセス可能なハードディスクドライブが用いられることにより、ハードディスクにインターネット放送番組を記録（蓄積）すると同時にインターネット放送番組を再生できるため、インターネット放送番組の再生時でもインターネット放送チャンネル毎の番組データＤＰ３の蓄積を中断せずに継続し得るようになされている。
【０１５８】
また番組データ記録部３１５は、全てのインターネット放送チャンネルで放送される全ての番組データＤＰ３を例えば１週間分蓄積できる程度の記録容量を有しているものの、その容量は有限である。
【０１５９】
このため制御部３１１は、番組データ記録部３１５に対して全てのインターネット放送チャンネル分の番組データＤＰ３を順次蓄積していくことにより当該番組データ記録部３１５内の新たに番組データＤＰ３を記録可能な領域の容量（空容量）が少なくなり、この空容量が例えば全てのインターネット放送チャンネルの３０分間のインターネット放送番組の記録を行える所定の閾値以下となると、当該番組データＤＰ３の記録を終了した日時（以下これを記録日時と呼ぶ）が比較的古く放送時間が最も長い番組データＤＰ３を削除したり、視聴履歴情報に基づいて既にユーザが視聴した番組データＤＰ３を削除する等して、空容量を確保して新たな番組データＤＰ３を蓄積し得るようになされている。
【０１６０】
このように制御部３１１は、電源投入中に、番組情報提供サーバ３０５から取得した番組情報データＤＧ３に基づいて、受信可能な全てのインターネット放送チャンネルで放送されるインターネット放送信号をインターネット放送番組単位の番組データＤＰ３として順次蓄積する。
【０１６１】
以上の構成において放送信号蓄積装置３０３の制御部３１１は、電源が投入されると、インターネット放送信号蓄積プログラムに従って図１５及び図１６に示すインターネット放送番組蓄積処理手順ＲＴ６を開始する。
【０１６２】
制御部３１１は、インターネット放送番組蓄積処理手順装置ＲＴ６を開始すると、ステップＳＰ７１において番組情報提供サーバ３０５にチャンネル情報の要求を送信して次のステップＳＰ７２に移る。
【０１６３】
一方番組情報提供サーバ３０５は、ルーチンＲＴ７を開始して放送信号蓄積装置３０３からの受信を待ち受ける状態となっており、ステップＳＰ９１において放送信号蓄積装置３０３からのチャンネル情報の要求を受信して、次のステップＳＰ９２に移る。
【０１６４】
ステップＳＰ９２において番組情報提供サーバ３０５は、放送信号蓄積装置３０３に最新のチャンネル情報を送信して次のステップＳＰ９３に移る。
【０１６５】
これに対して放送信号蓄積装置３０３の制御部３１１は、ステップＳＰ７２において、番組情報提供サーバ３０５から送信されたチャンネル情報を受信して、次のステップＳＰ７３に移る。
【０１６６】
ステップＳＰ７３において制御部３１１は、受信したチャンネル情報に基づいて、インターネット放送で放送される全てのインターネット放送チャンネルを受信するようにインターネット放送受信部３１４の設定を行い、次のステップＳＰ７４に移る。
【０１６７】
このように制御部３１１は、番組情報提供サーバ３０５から取得したチャンネル情報に基づいて、インターネット放送受信部３１４で受信可能な全てのインターネット放送チャンネルを検出しインターネット放送信号を受信するように設定し、インターネット放送信号を受信して内部に取り込めるようにすることができる。
【０１６８】
ステップＳＰ７４において制御部３１１は、番組情報提供サーバ３０５に番組情報データＤＧ３の要求を送信して次のステップＳＰ７５に移る。
【０１６９】
これに対して番組情報提供サーバ３０５は、ステップＳＰ９３において放送信号蓄積装置３０３からの番組情報データＤＧ３の要求を受信して、次のステップＳＰ９４に移る。
【０１７０】
ステップＳＰ９４において番組情報提供サーバ３０５は、受信した要求に応じて放送信号蓄積装置３０３に番組情報データＤＧ３を送信し、その後ステップＳＰ９３に戻って、このステップＳＰ９３−ＳＰ９４の処理を繰り返す。
【０１７１】
すると放送信号蓄積装置３０３の制御部３１１は、ステップＳＰ７５において番組情報提供サーバ３０５から送信された番組情報データＤＧ３を受信して番組情報記録部３１８に蓄積し、次のステップＳＰ７６に移る。
【０１７２】
このように放送信号蓄積装置３０３の制御部３１１は、番組情報提供サーバ３０５から番組情報データＤＧ３を必要なタイミングで取得することができる。
【０１７３】
ステップＳＰ７６において制御部３１１は、番組情報データＤＧ３に基づいて得られたインターネット放送番組の放送開始時刻と現在時刻とを比較することによって、現在時刻がインターネット放送番組の放送開始時刻であるか否かを判定する。ここで否定結果が得られると、このことは例えば深夜の放送休止中のように、この時点ではまだインターネット放送番組が開始されていないことを表しており、このとき制御部３１１は当該ステップＳＰ７６においてインターネット放送番組の放送開始時刻を待ち受ける。
【０１７４】
一方ステップＳＰ７６において肯定結果が得られると、このことは現在時刻がインターネット放送番組の放送開始時刻に達したことを示しており、このとき制御部３１１は次のステップＳＰ７７に移る。
【０１７５】
ステップＳＰ７７において制御部３１１は、番組データ記録部３１５に対して放送データＤＢ３に含まれる記録対象のインターネット放送番組の番組データＤＰ３の記録を開始し、次のステップＳＰ７８に移る。
【０１７６】
ステップＳＰ７８において制御部３１１は、番組データ記録部３１５の空容量を検出し、その空容量が所定の閾値より少ないか否かを判定する。ここで否定結果が得られると、このことは番組データ記録部３１５にまだ十分な空容量があるために番組データＤＰ３を放送終了時刻まで記録できる可能性があることを表しており、このとき制御部３１１はステップＳＰ８３に移る。
【０１７７】
一方ステップＳＰ７８において肯定結果が得られると、このことは番組データ記録部３１５に空容量が不足しているために、このままでは現在放送中のインターネット放送番組の番組データＤＰ３の記録を放送終了前に中断しなければならなくなる可能性があることを表しており、このとき制御部３１１は次のステップＳＰ７９に移る。
【０１７８】
ステップＳＰ７９において制御部３１１は、視聴履歴情報に基づいて、既に蓄積している番組データＤＰ３のうちユーザによって既に視聴されたインターネット放送番組の番組データＤＰ３があるか否かを判定する。
【０１７９】
このステップＳＰ７９において肯定結果が得られると、このことはユーザによって既に視聴されたインターネット放送番組の番組データＤＰ３が番組データ記録部３１５に蓄積されており、そのインターネット放送番組が既に視聴されていることで再度視聴される可能性が低いことを表しており、このとき制御部３１１は、次のステップＳＰ８０に移り、番組データ記録部３１５からこの既に視聴されたインターネット放送番組の番組データＤＰ３を削除して番組データ記録部３１５の空容量を増加させた後、ステップＳＰ８３に移る。
【０１８０】
一方ステップＳＰ７９において否定結果が得られると、このことはこの時点で番組データ記録部３１５に蓄積されている番組データＤＰ３がいずれもユーザによって視聴されてはいないことを表しており、このとき制御部３１１はステップＳＰ８１に移って、番組データ記録部３１５に蓄積された番組データＤＰ３のうち記録日時が最も古いもの（以下これを番組（Ａ）と呼ぶ）を検索し、次のステップＳＰ８２に移る。
【０１８１】
ステップＳＰ８２において制御部３１１は、記録日時が番組（Ａ）から２４時間以内であるインターネット放送番組の番組データＤＰ３のうち、最も放送時間が長い番組データＤＰ３を選択して削除することによって番組データ記録部３１５の空容量を増加させた後、ステップＳＰ８３に移る。
【０１８２】
このように制御部３１１は、既に視聴されたインターネット放送番組のようにユーザによってこの後視聴される可能性の低いインターネット放送番組の番組データＤＰ３を優先的に削除することにより当該ユーザによって今後視聴される可能性の高いインターネット放送番組を残すことができ、また記録日時が比較的古く放送時間が最も長いインターネット放送番組のように番組データ記録部３１５を比較的大きく占有している番組データＤＰ３を優先的に削除することにより、１回の削除処理で番組データ記録部３１５の空容量を一段と増加させることができる。
【０１８３】
ステップＳＰ８３において制御部３１１は、現在記録している番組情報データＤＧ３に基づくインターネット放送番組の放送終了時刻と現在時刻とを比較することによって、現在時刻がそのインターネット放送番組の放送終了時刻であるか否かを判定する。
【０１８４】
このステップＳＰ８３において否定結果が得られると、このことは現在記録している番組情報データＤＧ３に基づくインターネット放送番組がまだ放送途中であることを表しており、このとき制御部３１１はステップＳＰ７８に戻り、この現在記録しているインターネット放送番組の放送終了時刻になるまでステップＳＰ７８〜ＳＰ８３の処理を繰り返すことによって、現在記録しているインターネット放送番組の記録を継続する。
【０１８５】
一方ステップＳＰ８３において肯定結果が得られると、このことは現在記録している番組情報データＤＧ３に基づくインターネット放送番組の放送が終了したことを表しており、このとき制御部３１１は、次のステップＳＰ８４に移って番組データＤＰ３の記録を終了し、再びステップＳＰ７３に戻って次のインターネット放送番組の番組データＤＰ３を記録する。
【０１８６】
このように制御部３１１は、電源投入中に、上述したステップＳＰ７４〜ＳＰ８４の処理を、インターネット放送受信部３１４で受信する全てのインターネット放送チャンネルについてそれぞれ並行して行うようになされており、この結果、全てのインターネット放送チャンネルで放送される全てのインターネット放送番組を番組データＤＰ３として番組データ記録部３１５に順次記録して蓄積する。
【０１８７】
因みに制御部３１１は、放送信号蓄積装置３０３の電源が切断された時点で上述したインターネット放送番組蓄積処理手順ＲＴ６の処理を終了するが、再度電源が投入された際には、ステップＳＰ７１〜ＳＰ７３の処理を省略してステップＳＰ７４から処理を開始することにより、番組データＤＰ３の蓄積をすぐに再開できるようになされている。
【０１８８】
以上の構成によれば、放送信号蓄積装置３０３は、受信可能な全てのインターネット放送チャンネルのインターネット放送信号を受信して放送データＤＢ３を生成すると共に、番組情報提供サーバ３０５から取得した番組情報データＤＧ３に基づいて放送データＤＢ３をインターネット放送番組単位に区切った番組データＤＰ３として自動的に記録して蓄積するようにしたことにより、事前に予約操作を行ったり、当該予約操作のためにインターネット放送番組を調べたりする必要なく、全てのインターネット放送チャンネルで放送されるインターネット放送信号を順次蓄積しておき、当該蓄積したインターネット放送信号に含まれるインターネット放送番組をいつでも自由に再生することができるので、受信可能な全てのインターネット放送チャンネルで放送されたインターネット放送番組のいずれをもほぼ確実に視聴させることができる。
【０１８９】
なお上述の第４の実施の形態においては、放送信号蓄積装置３０３が、映像及び音声でなるインターネット放送を受信して記録（録画）する場合について述べたが、本発明はこれに限らず、音声のみのインターネット放送（インターネットラジオ放送）を受信して記録（録音）するようにしても良い。
【０１９０】
また上述の第４の実施の形態においては、最初の電源投入時に番組情報提供サーバ３０５からチャンネル情報を取得して、インターネット放送受信部３１４で受信するインターネット放送チャンネルを自動的に設定するようにした場合について述べたが、本発明はこれに限らず、電源投入中に、ユーザの入力に応じてインターネット放送チャンネルを自由に追加や変更するようにしても良い。
【０１９１】
さらに上述の第４の実施の形態においては、番組データ記録部１５の空容量が不足した際に、既に視聴されたインターネット放送番組や記録日時が比較的古く放送時間が最も長いインターネット放送番組の番組データＤＰ３を優先的に削除するようにした場合について述べたが、本発明はこれに限らず、単純に記録日時が最も古い番組データＤＰ３や、ユーザに視聴される頻度が低いインターネット放送チャンネルの番組データＤＰ３を優先的に削除するようにしても良い。
【０１９２】
さらに上述の第４の実施の形態においては、検出手段としての制御部３１１及びインターネット放送受信部３１４と、受信手段としての通信処理部３１３及びインターネット放送受信部３１４と、放送信号蓄積手段及び消去手段としての制御部３１１及び番組データ記録部３１５と、取得手段としての番組情報取得部３１７とによって放送信号蓄積装置を構成する場合について述べたが、本発明はこれに限らず、その他種々の回路構成でなる検出手段と、受信手段と、放送信号蓄積手段と、取得手段と、消去手段とによって放送信号蓄積装置を構成するようにしても良い。
【０１９３】
（５）他の実施の形態
さらに上述の第１〜第４の実施の形態においては、情報処理装置としての放送信号蓄積装置３、１０３、２０３、３０３に放送信号蓄積プログラムを実行させるようにした場合について述べたが、本発明はこれに限らず、放送信号の受信機能を有するコンピュータ等のように情報処理装置に放送信号蓄積プログラムを実行させるようにしてもよい。
【０１９４】
さらに上述の第１〜第４の実施の形態においては、放送信号蓄積装置３、１０３、２０３、３０３でテレビジョン放送、ラジオ放送、インターネット放送の放送信号を受信して蓄積するようにした場合について述べたが、本発明はこれに限らず、ケーブルテレビジョン放送や有線放送等の他の種々の放送システムの放送信号を受信して蓄積するようにしても良い。
【産業上の利用可能性】
【０１９５】
本発明は、ケーブルテレビジョン放送や有線放送等の種々の無線や有線により全ての放送チャンネルで放送される放送信号を受信し得る放送受信システムに利用することができる。
【図面の簡単な説明】
【０１９６】
【図１】第１の実施の形態によるテレビジョン放送受信システムの構成を示すブロック図である。
【図２】地上アナログテレビジョン放送受信部の構成を示すブロック図である。
【図３】地上ディジタルテレビジョン放送受信部の構成を示すブロック図である。
【図４】ＢＳディジタルテレビジョン放送受信部の構成を示すブロック図である。
【図５】第１の実施の形態によるテレビジョン放送番組蓄積処理手順を示すフローチャートである。
【図６】第２の実施の形態によるテレビジョン放送受信システムの構成を示すブロック図である。
【図７】第２の実施の形態によるテレビジョン放送番組蓄積処理手順（１）を示すフローチャートである。
【図８】第２の実施の形態によるテレビジョン放送番組蓄積処理手順（２）を示すフローチャートである。
【図９】第３の実施の形態によるラジオ放送受信システムの構成を示すブロック図である。
【図１０】ＦＭラジオ放送受信部の構成を示すブロック図である。
【図１１】ＡＭラジオ放送受信部の構成を示すブロック図である。
【図１２】第３の実施の形態によるラジオ放送番組蓄積処理手順（１）を示すフローチャートである。
【図１３】第３の実施の形態によるラジオ放送番組蓄積処理手順（２）を示すフローチャートである。
【図１４】第４の実施の形態によるインターネット放送受信システムの構成を示すブロック図である。
【図１５】第４の実施の形態によるインターネット放送番組蓄積処理手順（１）を示すフローチャートである。
【図１６】第４の実施の形態によるインターネット放送番組蓄積処理手順（２）を示すフローチャートである。
【符号の説明】
【０１９７】
１、１０１……テレビジョン放送受信システム、３、１０３、２０３、３０３……放送信号蓄積装置、１１、１１１、２１１、３１１……制御部、１４、２１４、……放送受信部、１５、２１５、３１５……番組データ記録部、１７、１１７、２１７、３１７……番組情報取得部、１８、２１８、３１８……番組情報記録部、１０５、２０５、３０５……番組情報提供サーバ、１０６……インターネット、２００……ラジオ放送受信システム、３００……インターネット放送受信システム、３０２……インターネット放送配信サーバ、３１３……通信処理部、３１４……インターネット放送受信部、ＤＰ１、ＤＰ２、ＤＰ３……番組データ、ＤＧ１、ＤＧ２、ＤＧ３……番組情報データ。
【図１】
2005151164.tif 000003
【図２】
2005151164.tif 000004
【図３】
2005151164.tif 000005
【図４】
2005151164.tif 000006
【図５】
2005151164.tif 000007
【図６】
2005151164.tif 000008
【図７】
2005151164.tif 000009
【図８】
2005151164.tif 000010
【図９】
2005151164.tif 000011
【図１０】
2005151164.tif 000012
【図１１】
2005151164.tif 000013
【図１２】
2005151164.tif 000014
【図１３】
2005151164.tif 000015
【図１４】
2005151164.tif 000016
【図１５】
2005151164.tif 000017
【図１６】
2005151164.tif 000018